(57)【特許請求の範囲】
【請求項１】
ヘリサートを、めねじ部にセットする作業に用いるヘリサート工具において、
このヘリサート工具は、棒状の工具軸と、この工具軸の一端に設けられ前記ヘリサートに付属しているタングを把持するタング把持部と、前記工具軸に設けられ前記ヘリサートの先端に掛けるヘリサート係合部と、前記工具軸の他端に取り付けたハンドルとからなることを特徴とするヘリサート工具。
【請求項２】
前記工具軸に軸方向移動可能に筒型のウエイトを取り付け、このウエイトの移動を制限するために前記工具軸にストッパを設けたことを特徴とする請求項１記載のヘリサート工具。
【請求項３】
前記ヘリサート係合部は、前記工具軸に切り込み形成した溝であることを特徴とする請求項１又は請求項２記載のヘリサート工具。
【請求項４】
前記ヘリサート係合部は、前記工具軸から径外方へ突出形成した舌片であることを特徴とする請求項１又は請求項２記載のヘリサート工具。
【請求項５】
めねじ部から外れたヘリサートの先端を、前記めねじ部に戻す作業に用いるヘリサート修正工具であって、
このヘリサート修正工具は、棒状の工具軸と、この工具軸に設けられ前記ヘリサートの先端に掛けるヘリサート係合部とからなることを特徴とするヘリサート修正工具。
【請求項６】
前記工具軸に軸方向移動可能に筒型のウエイトを取り付け、このウエイトの移動を制限するために前記工具軸にストッパを設けたことを特徴とする請求項５記載のヘリサート修正工具。
【請求項７】
前記ヘリサート係合部は、前記工具軸から径外方へ突出形成した舌片であることを特徴とする請求項５又は請求項６記載のヘリサート修正工具。
【請求項８】
前記ヘリサート係合部は、小径のヘリサートに適用する小型係合部と、大径のヘリサートに適用する大型係合部との２つで構成し、一方を前記工具軸の一端に、他方を前記工具軸の他端に配置したことを特徴とする請求項５又は請求項６記載のヘリサート修正工具。
【発明の詳細な説明】
【技術分野】
【０００１】
本発明は、ヘリサートをめねじ部にセットする作業に用いるヘリサート工具の改良と、めねじ部から外れたヘリサートの先端をめねじ部に戻す作業に用いるヘリサート修正工具に関する。
【背景技術】
【０００２】
アルミニウムなどの軟質材料で製作された部材に設けたタップ穴に、炭素鋼などの硬質材料で製作されたボルトを締め付ける場合、ボルトの着脱の繰り返し又はボルトの締め付け過ぎによって、タップ穴のめねじ部は変形又は破損を起こすことがある。これではタップ穴にボルトを円滑に締め付けることができない。
【０００３】
前述のめねじ部の変形又は破損を防止するため、ヘリサートと呼ばれるめねじ補強部品が使用される。このヘリサートはコイルばねのように成形され、断面が菱形形状に形成されたものである。また、先端にはタングと呼ばれる直線部が形成され、タングの基部には切り込みが入っている。ヘリサートはタングを専用工具で挟み込み、めねじ部に沿うように専用工具でねじ込むことで、めねじ部にセットされる。
【０００４】
セット後、ヘリサートに連結されたタングは不要なので、除去作業が必要になる。これに用いられるツールとして、タングを折り取る工具が提案されている（例えば、特許文献１参照。）。
【特許文献１】特開平１１−１５６７５１号公報（図３、図５、図６）
【０００５】
特許文献１を次図に基づいて説明する。
図１２は従来の技術の基本構成を説明する図であり、（ａ）において、タング折取り具１００は、取付部材１０１の上面にセットするスリーブ１０２と、このスリーブ１０２の下側に設けた閉塞端面部１０３の摺動孔からスリーブ１０２に挿入するシャフト１０４と、このシャフト１０４の上端部に連結すると共にスリーブ１０２の軸線方向に沿うように形成した長孔を貫通して設けるハンドル１０５と、シャフト１０４の下端部にピン１０６によって回転するように取り付けるフック１０７とからなる。
【０００６】
（ｂ）において、ハンドル（図（ａ）符号１０５）を操作してシャフト１０４をインサートコイル（ヘリサートと同じ部品）１０８内に挿入していくと、フック１０７はタング１０９に当たるが、回転することでタング１０９を避ける。
【０００７】
（ｃ）において、フック１０７がタング１０９を完全に通過した時点で、フック１０７は重力作用で水平状態に戻る。この状態でシャフト１０４を上昇させると、フック１０７がタング１０９に引っ掛かる。更にフック１０７を上昇させると、タング１０９は根元付近のノッチ部分で破断する。これでインサートコイル１０８からタング１０９を折り取ることができる。
【０００８】
図１３は従来の技術によるタング破断後のインサートコイルの断面図であり、インサートコイル１０８の第１巻目１１１は、想像線で示すようにタング破断時の反作用によって、めねじ部１１２から外れることがあった。このようなインサートコイル１０８にボルトを締め込むことは難しいため、その都度インサートコイル１０８を新品に交換していた。これでは、ヘリサートの購入費用が膨大になる。また、交換作業は手間が掛かるため作業効率が悪くなる。
【０００９】
このため、インサートコイル（ヘリサート）購入費用を低減させることができ、且つ作業効率を向上させることができるヘリサート工具の開発が求められる。
【発明の開示】
【発明が解決しようとする課題】
【００１０】
本発明は、ヘリサート購入費用を低減させることができ、且つ作業効率を向上させることができるヘリサート工具を提供することを課題とする。
【課題を解決するための手段】
【００１１】
請求項１に係る発明は、ヘリサートを、めねじ部にセットする作業に用いるヘリサート工具において、このヘリサート工具は、棒状の工具軸と、この工具軸の一端に設けられ前記ヘリサートに付属しているタングを把持するタング把持部と、前記工具軸に設けられ前記ヘリサートの先端に掛けるヘリサート係合部と、前記工具軸の他端に取り付けたハンドルとからなることを特徴とする。
【００１２】
請求項２に係る発明は、工具軸に軸方向移動可能に筒型のウエイトを取り付け、このウエイトの移動を制限するために前記工具軸にストッパを設けたことを特徴とする。
【００１３】
請求項３に係る発明では、ヘリサート係合部は、工具軸に切り込み形成した溝であることを特徴とする。
【００１４】
請求項４に係る発明では、ヘリサート係合部は、工具軸から径外方へ突出形成した舌片であることを特徴とする。
【００１５】
請求項５に係る発明は、めねじ部から外れたヘリサートの先端を、前記めねじ部に戻す作業に用いるヘリサート修正工具であって、このヘリサート修正工具は、棒状の工具軸と、この工具軸に設けられ前記ヘリサートの先端に掛けるヘリサート係合部とからなることを特徴とする。
【００１６】
請求項６に係る発明は、工具軸に軸方向移動可能に筒型のウエイトを取り付け、このウエイトの移動を制限するために前記工具軸にストッパを設けたことを特徴とする。
【００１７】
請求項７に係る発明では、ヘリサート係合部は、工具軸から径外方へ突出形成した舌片であることを特徴とする。
【００１８】
請求項８に係る発明では、ヘリサート係合部は、小径のヘリサートに適用する小型係合部と、大径のヘリサートに適用する大型係合部との２つで構成し、一方を工具軸の一端に、他方を前記工具軸の他端に配置したことを特徴とする。
【発明の効果】
【００１９】
請求項１に係る発明では、ヘリサート工具は、棒状の工具軸、タング把持部、ヘリサート係合部、ハンドルで構成したので、ヘリサートのねじ込み、タングの切断、ヘリサートの先端をめねじ部へ戻す作業（以下、ヘリサート戻しと記す。）、の３つの作業を１個の工具で行うことができる。これにより、工具を作業毎に交換する必要がないため、作業時間を短縮することができる。よって、ヘリサート工具を用いた作業の効率を向上させることができる。
【００２０】
また、ヘリサート係合部をめねじ部から外れたヘリサートの先端に掛けて、ヘリサートの先端をめねじ部へ戻すことができるので、一度ねじ込んだヘリサートは交換せずにそのまま使用することができる。このため、ヘリサートの購入費用を低減させることができる。
以上から請求項１によれば、ヘリサート購入費用を低減させることができ、且つ作業効率を向上させることができるヘリサート工具を提供することができる。
【００２１】
請求項２に係る発明では、ヘリサート工具は、工具軸に筒型のウエイトとストッパを取り付けた。ウエイトをストッパに衝突させることで、ストッパは衝撃を受けて移動し、このストッパに一体のヘリサート係合部も移動する。衝突前にヘリサート係合部をめねじ部から外れたヘリサートの先端に掛けておくことで、ヘリサートの先端をめねじ部へ簡単に戻すことができる。これにより、ヘリサート戻しの作業時間を短縮することができるため、ヘリサート工具を用いた作業の効率をより一層向上させることができる。
【００２２】
請求項３に係る発明では、ヘリサート係合部は、工具軸に切り込み形成した溝である。このため、溝をめねじ部から外れたヘリサートの先端に掛けることは簡単になるので、ヘリサート工具の操作性を向上させることができる。
また、溝を形成するために新たな材料を準備する必要がないので、ヘリサート工具の低価格化を実現することができる。
【００２３】
請求項４に係る発明では、ヘリサート係合部は、工具軸から径外方へ突出形成した舌片であるため、この舌片をめねじ部から外れたヘリサートの先端に掛ける際、ヘリサートの先端の位置をタップ穴の上方から確認することができる。これにより、ヘリサート係合部をヘリサートの先端に掛けることが容易になるため、作業性の優れたヘリサート工具を提供することができる。
【００２４】
請求項５に係る発明では、ヘリサート修正工具は、棒状の工具軸とヘリサート係合部とで構成したので、構造が簡単になる。このため、ヘリサート修正工具の低価格化を実現することができる。
【００２５】
請求項６に係る発明では、ヘリサート修正工具は、工具軸に筒型のウエイトとストッパを取り付けた。ウエイトをストッパに衝突させることで、ストッパは衝撃を受けて移動し、このストッパに一体のヘリサート係合部も移動する。衝突前にヘリサート係合部をめねじ部から外れたヘリサートの先端に掛けることで、ヘリサートの先端をめねじ部へ簡単に戻すことができる。これにより、ヘリサート戻しの作業時間を短縮することができるため、ヘリサート修正工具を用いた作業の効率を向上させることができる。
【００２６】
請求項７に係る発明では、ヘリサート係合部は、工具軸から径外方へ突出形成した舌片であるため、この舌片をめねじ部から外れたヘリサートの先端に掛ける際、ヘリサートの先端の位置をタップ穴の上方から確認することができる。これにより、ヘリサート係合部をヘリサートの先端に掛けることが容易になる。すなわち、ヘリサート修正工具の操作性を向上させることができる。
【００２７】
請求項８に係る発明では、ヘリサート係合部は、小型係合部と大型係合部の２つで構成した。このため、小径と大径の２つのめねじ部があり、両方のめねじ部からヘリサートの先端が外れている場合であっても、１個のヘリサート修正工具で対応することができる。よって、多機能を持つヘリサート修正工具を実現することができる。
【発明を実施するための最良の形態】
【００２８】
本発明を実施するための最良の形態を添付図に基づいて以下に説明する。なお、請求項１及び請求項３に係る発明は主として図１で説明し、請求項２に係る発明は主として図６で説明し、請求項４に係る発明は主として図５で説明し、請求項５及び請求項７に係る発明は主として図８で説明し、請求項６に係る発明は主として図１０で説明し、請求項８に係る発明は主として図１１で説明する。
また、図面は符号の向きに見るものとする。
【００２９】
図１は本発明に係るヘリサート工具の斜視図であり、ヘリサート工具１０は、丸棒状に形成された工具軸１１と、この工具軸１１の下端に設けたタング溝１２を有するタング把持部１３と、このタング把持部１３より上方の工具軸１１上に設けたヘリサート係合部１４と、工具軸１１の上端に取り付けたハンドル１５とからなる。
【００３０】
１６はハンドル軸、１７・・・（・・・は複数を示す。以下同様）はナット、１８はハンドルグリップである。
加えて、ヘリサート係合部１４はヘリサート溝１９を備え、このヘリサート溝１９は工具軸１１の軸方向に直交するように切り込み形成した溝であることを特徴とする。
以上の構成からなるヘリサート工具１０の作用を次に説明する。
【００３１】
図２は本発明に係るヘリサート工具によるねじ込み作業の作用説明図であり、（ａ）において、ヘリサート２１の先端に付属しているタング２２を、ヘリサート工具１０のタング溝１２に嵌めた状態で、ヘリサート工具１０を矢印（１）のようにめねじ部２３を備えたワーク２４に向けて降下させる。このとき、ヘリサート２１は作業者の手で支える。ヘリサート２１がワーク２４の上に載った状態でねじ込み準備完了となる。
【００３２】
（ｂ）において、ハンドルグリップ１８を握って矢印（２）のように工具軸１１を回転させることで、めねじ部２３に沿ってヘリサート２１をねじ込む。ねじ込み作業はこのまま継続する。
【００３３】
図３は本発明に係るヘリサート工具によるタング切断作業の作用説明図であり、（ａ）において、ヘリサート２１はねじ込みが完了し、想像線で示すハンマー２５で矢印（３）のように工具軸１１の上端を叩く。これにより、タング２２に垂直荷重が作用する。
【００３４】
（ｂ）において、タング２２が切断され、切断時の反作用でヘリサート２１の第１巻目２６はめねじ部２３から外れる。この外れた第１巻目２６をめねじ部２３へ戻すために工具軸１１を矢印（４）のように回転させる。続けて工具軸１１を矢印（５）のように上昇させ、ヘリサート溝１９を第１巻目２６に向ける。
【００３５】
図４は本発明に係るヘリサート工具のヘリサート戻し作業の作用説明図であり、ヘリサート溝１９を、第１巻目２６に掛ける。続いて工具軸１１を図上側へ移動させることで、第１巻目２６を想像線で示すようにめねじ部２３へ戻す。
【００３６】
以上のとおり、ヘリサート工具１０は、丸棒状の工具軸１１、タング把持部１３、ヘリサート係合部１４、ハンドルで構成したので、ヘリサートのねじ込み、タングの切断、ヘリサート戻しの３つの作業を１個の工具で行うことができる。これにより、工具を作業毎に交換する必要がないため、作業時間を短縮することができる。よって、ヘリサート工具を用いた作業の効率を向上させることができる。
【００３７】
また、ヘリサート係合部１４をめねじ部２３から外れたヘリサート２１の先端の第１巻目２６に掛けて、この第１巻目２６をめねじ部２３へ戻すことができるので、一度ねじ込んだヘリサート２１は交換せずにそのまま使用することができる。このため、ヘリサートの購入費用を低減させることができる。
よって、ヘリサート工具１０は、ヘリサート購入費用を低減させることができ、且つ作業効率を向上させることができるヘリサート工具を提供することができる。
【００３８】
加えて、ヘリサート係合部１４は、ヘリサート溝１９を備え、このヘリサート溝１９は工具軸１１の軸方向に直交するように切り込み形成した溝である。このため、溝をめねじ部２３から外れたヘリサート２１の先端に掛けることは簡単になるので、ヘリサート工具の操作性を向上させることができる。
また、溝を形成するために新たな材料を準備する必要がないので、ヘリサート工具の低価格化を実現することができる。
【００３９】
図５は図１の変更実施例を示す説明図であり、（ａ）において、ヘリサート工具１０Ｂのヘリサート係合部３１は、ヘリサート舌片３２を備え、このヘリサート舌片３２は工具軸１１から径外方（図右方向）へ突出形成した工具軸１１に一体の舌片であることを特徴とする。
【００４０】
（ｂ）は（ａ）のｂ−ｂ線断面図であり、ヘリサート舌片３２は、先端が円弧状に形成され、上面３３が平面で形成される。この上面３３でヘリサートの先端を受けることになる。
ヘリサート工具１０Ｂの作用は、ヘリサート工具１０の作用と同様であるため、符号を流用して説明を省略する。
【００４１】
ヘリサート工具１０Ｂにおいて、ヘリサート係合部３１は、ヘリサート舌片３２を備え、このヘリサート舌片３２は、工具軸１１から径外方へ突出形成した工具軸１１に一体の舌片である。このため、舌片をめねじ部から外れたヘリサートの先端に掛ける際、ヘリサートの先端の位置をタップ穴の上方から確認することができる。これにより、ヘリサート係合部をヘリサートの先端に掛けることが容易になるため、作業性の優れたヘリサート工具を提供することができる。
【００４２】
図６は本発明に係る別のヘリサート工具の斜視図であり、図１と共通部分については、符号を流用して説明を省略する。
ヘリサート工具４０は、工具軸１１に軸方向移動可能に円筒型のウエイト４１を取り付け、このウエイト４１の移動を制限するために工具軸１１の上部にストッパ４２を設けたことを特徴とする。
【００４３】
図７は図６のヘリサート工具の作用説明図であり、ヘリサート溝１９を、ヘリサート２１の第１巻目２６に掛ける。ここからウエイト４１を矢印のようにストッパ４２に衝突させ、この衝撃で、工具軸１１を図上側へ移動させることで、第１巻目２６を、矢印のようにめねじ部２３へ戻す。
【００４４】
ヘリサート工具４０は、工具軸１１に円筒型のウエイト４１とストッパ４２を取り付けた。ウエイト４１をストッパ４２に衝突させることで、ストッパ４２は衝撃を受けて移動し、このストッパ４２に一体のヘリサート係合部１４も移動する。衝突前にヘリサート係合部１４に設けたヘリサート溝１９をめねじ部２３から外れたヘリサート２１の先端の第１巻目２６に掛けておくことで、この第１巻目２６をめねじ部へ簡単に戻すことができる。これにより、ヘリサート戻しの作業時間を短縮することができるため、ヘリサート工具を用いた作業の効率をより一層向上させることができる。
【００４５】
次に、ヘリサート修正工具について説明する。
図８は本発明に係るヘリサート修正工具の斜視図であり、ヘリサート修正工具５０は、丸棒状に形成された工具軸５１と、この工具軸５１の下端に設けたヘリサート係合部５２とからなることを特徴とする。
【００４６】
加えて、ヘリサート係合部５２は、ヘリサート舌片５３を備え、このヘリサート舌片５３は、工具軸５１から径外方へ突出形成した工具軸５１に後付けの舌片であることを特徴とする。
【００４７】
図９は図８のヘリサート修正工具の作用説明図であり、ヘリサート修正工具５０のヘリサート舌片５３を、ヘリサート５４の第１巻目５６に掛ける。続いて工具軸５１を図上側へ移動させることで、第１巻目５６をめねじ部５５に戻す。
【００４８】
ヘリサート修正工具５０は、丸棒状の工具軸５１とヘリサート係合部５２とで構成したので、構造が簡単になる。このため、ヘリサート修正工具の低価格化を実現することができる。
【００４９】
加えて、ヘリサート係合部５２はヘリサート舌片５３を備え、このヘリサート舌片５３は、工具軸５１から径外方へ突出形成した工具軸５１に後付けの舌片である。このため、舌片をめねじ部５５から外れたヘリサート５４の先端の第１巻目５６に掛ける際、この第１巻目５６の位置をタップ穴の上方から確認することができる。これにより、ヘリサート舌片５３を第１巻目５６に掛けることが容易になる。すなわち、ヘリサート修正工具の操作性を向上させることができる。
【００５０】
図１０は図８の変更実施例を示す斜視図であり、ヘリサート修正工具５０Ｂは、工具軸５１に軸方向移動可能に円筒型のウエイト５７を取り付け、このウエイト５７の移動を制限するために工具軸５１の上部にストッパ５８を設けたことを特徴とする。
【００５１】
ヘリサート修正工具５０Ｂは、工具軸５１に円筒型のウエイト５７とストッパ５８を取り付けた。ウエイト５７をストッパ５８に衝突させることで、ストッパ５８は衝撃を受けて移動し、このストッパ５８に一体のヘリサート係合部５２も移動する。衝突前にヘリサート係合部５２のヘリサート舌片５３をめねじ部から外れたヘリサートの先端に掛けることで、ヘリサートの先端をめねじ部へ簡単に戻すことができる。これにより、ヘリサート戻しの作業時間を短縮することができるため、ヘリサート修正工具を用いた作業の効率を向上させることができる。
【００５２】
図１１は図８の更なる変更実施例を示す斜視図であり、ヘリサート修正工具５０Ｃにおいて、ヘリサート係合部５９は、小径のヘリサートに適用する小型係合部６１と、大径のヘリサートに適用する大型係合部６２との２つで構成し、小型係合部６１を工具軸５１よりも細い径を有する上部工具軸６３の上端に、大型係合部６２を工具軸５１の下端に配置したことを特徴とする。
【００５３】
また、工具軸５１の上側には、ウエイト５７の上方移動を制限するためにストッパ５８を取り付け、工具軸５１の下側には、ウエイト５７の下方移動を制限するために下側ストッパ６４を取り付ける。
そして、小型係合部６１には、小型ヘリサート舌片６５を設け、大型係合部６２には、大型ヘリサート舌片６６を設ける。
【００５４】
ヘリサート修正工具５０Ｃにおいて、ヘリサート係合部５９は、小型係合部６１と大型係合部６２の２つで構成した。このため、小径と大径の２つのめねじ部があり、両方のめねじ部からヘリサートの先端が外れている場合であっても、１個のヘリサート修正工具で対応することができる。よって、多機能を持つヘリサート修正工具を実現することができる。
【００５５】
尚、本発明に用いる工具軸の形状は、実施の形態では丸棒で説明したが、角棒、六角棒を適用することができるため、他の形状に適用することは差し支えない。
また、本発明に用いるウエイトの形状は、実施の形態では円筒型で説明したが、角柱型、六角柱型を適用することができるため、他の形状に適用することは差し支えない。
【００５６】
そして、請求項４における舌片は、実施の形態では工具軸に一体の舌片として説明したが、舌片を工具軸に溶接又はボルトで固定して突出形成することでもよく、舌片を工具軸と一体にするか、後付けにするかを限定するものではない。
さらに、請求項７における舌片は、実施の形態では工具軸に後付けの舌片として説明したが、舌片を工具軸に一体形成することでもよく、舌片を工具軸に後付けするか、工具軸と一体形成するかを限定するものではない。
【産業上の利用可能性】
【００５７】
本発明のヘリサート工具及びヘリサート修正工具は、ヘリサート取付作業に好適である。
【図面の簡単な説明】
【００５８】
【図１】本発明に係るヘリサート工具の斜視図である。
【図２】本発明に係るヘリサート工具によるねじ込み作業の作用説明図である。
【図３】本発明に係るヘリサート工具によるタング切断作業の作用説明図である。
【図４】本発明に係るヘリサート工具のヘリサート戻し作業の作用説明図である。
【図５】図１の変更実施例を示す説明図である。
【図６】本発明に係る別のヘリサート工具の斜視図である。
【図７】図６のヘリサート工具の作用説明図である。
【図８】本発明に係るヘリサート修正工具の斜視図である。
【図９】図８のヘリサート修正工具の作用説明図である。
【図１０】図８の変更実施例を示す斜視図である。
【図１１】図８の更なる変更実施例を示す斜視図である。
【図１２】従来の技術の基本構成を説明する図である。
【図１３】従来の技術によるタング破断後のインサートコイルの断面図である。
【符号の説明】
【００５９】
１０、１０Ｂ、４０…ヘリサート工具、１１、５１…工具軸、１３…タング把持部、１４、３１、５２、５９…ヘリサート係合部、１５…ハンドル、１９…ヘリサート溝（溝）、２１、５４…ヘリサート、２２…タング、２３、５５…めねじ部、２６、５６…第１巻目（ヘリサートの先端）３２、５３…ヘリサート舌片（舌片）、４１、５７…ウエイト、４２、５８…ストッパ、５０、５０Ｂ、５０Ｃ…ヘリサート修正工具、６１…小型係合部、６２…大型係合部。
【図１】
0004563967.tif 000002
【図２】
0004563967.tif 000003
【図３】
0004563967.tif 000004
【図４】
0004563967.tif 000005
【図５】
0004563967.tif 000006
【図６】
0004563967.tif 000007
【図７】
0004563967.tif 000008
【図８】
0004563967.tif 000009
【図９】
0004563967.tif 000010
【図１０】
0004563967.tif 000011
【図１１】
0004563967.tif 000012
【図１２】
0004563967.tif 000013
【図１３】
0004563967.tif 000014